(57)【要約】【課題】肉厚成形を容易に行うことができると共に、鉄蓋等の浮き上がりを防止することのできるプラスチック製の座台を提供する。【解決手段】上方に位置する蓋２を支持する蓋支持部１ａと、蓋によって塞がれる上方開口１ｂを有すると共に、地中に埋設される立ち上がり管１１の頂部を囲繞する下方開口１ｃとを備えるリング状の座台であって、補強材料が配合されたプラスチック材料からなり、比重が１を超える座台１。外径Ｄに対する最大厚さＴの比を０．０３以上０．１５以下以下とすることができ、補強材料として硅砂、ガラス繊維、スラグ骨材からなる群から選択される一以上を用いることができる。外周部１ｄを内周部１ｅより肉厚に形成し、内周部の上面に蓋支持部１ａを備えることができる。【選択図】図１
2018053613.tif 000002
【特許請求の範囲】
【請求項１】
上方に位置する蓋を支持する蓋支持部と、
前記蓋によって塞がれる上方開口を有すると共に、地中に埋設される立ち上がり管の頂部を囲繞する下方開口とを備えるリング状の座台であって、
補強材料が配合されたプラスチック材料からなり、比重が１を超えることを特徴とする座台。
【請求項２】
外径に対する最大厚さの比が０．０３以上０．１５以下であることを特徴とする請求項１に記載の座台。
【請求項３】
前記補強材料は、硅砂、ガラス繊維、スラグ骨材からなる群から選択される一以上であることを特徴とする請求項１又は２に記載の座台。
【請求項４】
外周部が内周部より肉厚に形成され、該内周部の上面に前記蓋支持部を備えることを特徴とする請求項１、２又は３に記載の座台。
【発明の詳細な説明】
【技術分野】
【０００１】
本発明は、マンホールを塞ぐ鉄蓋等を支持する座台に関する。
【背景技術】
【０００２】
図５に示すように、地中に埋設されて雨水の流出を防止する雨水貯留浸透槽１０には、保守点検を行うためにマンホール用の立ち上がり管１１が接続され、その上方に座台２１を埋設して鉄蓋２２を支持している。また、雨水貯留浸透槽１０以外の地下埋設設備等にも上記と同様の構造が採用されている。
【０００３】
上記座台２１及び鉄蓋２２は、図６に示すように組み合わせて用いられる。座台２１は、鉄蓋２２を支持する蓋支持部２１ａと、鉄蓋２２によって塞がれる上方開口２１ｂと、下方開口２１ｃとを有する枠状のものである。鉄蓋２２は、円板状の蓋２２ａと、蓋２２ａの突条２２ｃと係合する溝２２ｄを有する角枠２２ｂからなる。
【０００４】
この座台２１は、一般的にはコンクリート製であるが、コンクリート製品は、材料特性上衝撃荷重や集中荷重及び曲げ荷重に弱く、肉薄にすることができない。そのため、鉄蓋２２を介して長期的に荷重を受ける座台２１は、破損を考慮して肉厚な構造が望まれており、例えば肉厚１００ｍｍ以上となるように製造されていたが、この場合には質量が１００ｋｇを超えてしまうため、人手のみで座台２１を設置することが困難であり、設置コストが高騰するという問題があった。
【０００５】
一方、プラスチック製品は、コンクリート製品よりも衝撃荷重や集中荷重及び曲げ荷重に強い性質を有するため、一般的に薄肉に成形してリブで補強されるが、上記座台は、支持する鉄蓋等の上を車両や人が通行するなど長期的な荷重が掛かるため、リブが破損する虞があった。
【０００６】
そこで、特許文献１には、設置を容易にすると共に、長期的な荷重に耐えるものとして比重の小さい再生プラスチック（ＰＥ、ＰＰ）等で形成した座台が記載されている。この座台は、密閉内蓋を有して側塊に載置され、地面と面一になる保護鉄蓋が載置される。
【先行技術文献】
【特許文献】
【０００７】
【特許文献１】特許第３８０４０１０号公報
【発明の概要】
【発明が解決しようとする課題】
【０００８】
しかし、再生プラスチック等の普通のプラスチックは、肉厚に成形しようとすると、厚肉部においてはひけを起こす原因となる引張応力（収縮応力）が樹脂の内部に向かって掛かる。さらに、薄肉部は厚肉部に比べて早く固まるため、 薄肉部と厚肉部の間に応力が生じ、それがそりとなって現れるため、実際には、特許文献１に記載のように座台を肉厚に成形することは困難である。
【０００９】
また、上記特許文献１に記載の座台等を再生プラスチック等で成形すると、比重が０．９１〜０．９８程度となり、座台と地面の間に雨水等が侵入した場合に鉄蓋等と共に浮き上がってしまう虞があった。
【００１０】
そこで、本発明は、上記従来技術における問題点に鑑みてなされたものであって、肉厚成形を容易に行うことができると共に、鉄蓋等の浮き上がりを防止することのできるプラスチック製の座台を提供することを目的とする。
【課題を解決するための手段】
【００１１】
上記目的を達成するため、本発明は、上方に位置する蓋を支持する蓋支持部と、前記蓋によって塞がれる上方開口を有すると共に、地中に埋設される立ち上がり管の頂部を囲繞する下方開口とを備えるリング状の座台であって、補強材料が配合されたプラスチック材料からなり、比重が１を超えることを特徴とする。
【００１２】
本発明の座台は、補強材料が配合されたプラスチック材料を用い、リング状の簡単な形状であるため、肉厚に成形し易く、比重が１を超えるため蓋の浮き上がりも防止することができる。
【００１３】
上記座台において、外径に対する最大厚さの比を０．０３以上０．１５以下とすることができ、プラスチック材料で成形可能な範囲で、長期的な荷重に十分耐えられる座台を提供することができる。
【００１４】
前記補強材料を、硅砂、ガラス繊維、スラグ骨材からなる群から選択される一以上とすることができる。特に、入手し易い硅砂を選択することで製造コストを低く抑えることができる。
【発明の効果】
【００１５】
以上のように、本発明によれば、肉厚成形を容易に行うことができ、鉄蓋等の浮き上がりを防止することも可能なプラスチック製の座台を提供することができる。
【図面の簡単な説明】
【００１６】
【図１】本発明に係る座台の一実施の形態を示し、（ａ）は上面図、（ｂ）は（ａ）のＡ−Ａ線断面図である。
【図２】図１の座台に支持される鉄蓋を示し、（ａ）は上面図、（ｂ）は（ａ）のＢ−Ｂ線断面図である。
【図３】図１の座台と図２の鉄蓋を組み合わせた状態を示し、（ａ）は上面図、（ｂ）は（ａ）のＣ−Ｃ線断面図である。
【図４】本発明に係る座台の設置例を示す概略断面図である。
【図５】従来の座台の設置例を示す概略断面図である。
【図６】従来の座台と鉄蓋を組み合わせた状態を示し、（ａ）は上面図、（ｂ）は（ａ）のＤ−Ｄ線断面図である。
【発明を実施するための形態】
【００１７】
次に、本発明を実施するための形態について、図面を参照しながら詳細に説明する。
【００１８】
図１は、本発明に係る座台の一実施の形態を示し、この座台１は、図２に示す鉄蓋２を支持する蓋支持部１ａと、鉄蓋２によって塞がれる上方開口１ｂと、下方開口１ｃとを有するリング状のものであって、補強部材が配合されたプラスチック材料により比重が１を超えるように成形される。
【００１９】
座台１は、蓋支持部１ａが存在する分だけ外周部１ｄが内周部１ｅより肉厚に形成される。外周部１ｄの厚さ（最大厚さ）Ｔは、外径Ｄに対して０．０３以上０．１５以下とする。最大厚さＴ／外径Ｄをこの範囲内とすることで、プラスチック材料で容易に成形することができ、長期的な荷重にも十分に耐えることができる。
【００２０】
座台１を成形するにあたり、硅砂が入手し易く座台１を低コストで製造することができて好ましいが、配合する補強部材として硅砂、ガラス繊維、スラグ骨材から選択される一以上を用いることもできる。これらの補強材料を配合すると共に、リング状の簡単な形状とすることで座台１を肉厚に形成することができる。また、補強材料の配合により、座台１の比重が１を超えるようにし、好ましくは１．３程度に成形する。
【００２１】
座台１に載置される鉄蓋２は、一般的な丸枠式のものであり、円板状の蓋２ａと、蓋２ａの突条２ｃと係合する溝２ｄを有する丸枠２ｂからなり、蓋２ａには摘み穴２ｅが形成されている。
【００２２】
座台１と鉄蓋２を組み合わせた状態を図３に示す。このように、凹状に形成した座台１の蓋支持部１ａに鉄蓋２の丸枠２ｂを載置することで、鉄蓋２全体を安定して支持することができる。
【００２３】
上記構成を有する座台１の設置例を図４に示す。座台１は、雨水貯留浸透槽１０の立ち上がり管１１を下方開口１ｃを介して囲繞した状態で地中に配置され、蓋支持部１ａで鉄蓋２を支持している。
【００２４】
以上のように、本実施の形態によれば、硅砂等の補強材料を配合すると共に、簡単な形状とすることで座台１を肉厚に成形することができ、比重が１を超えるため、蓋２の浮き上がりも防止することもできる。
【００２５】
尚、上記実施の形態として説明した座台１の構成は一例に過ぎず、上方に位置する蓋２を支持する蓋支持部１ａと、蓋２によって塞がれる上方開口１ｂを有すると共に、地中に埋設される立ち上がり管の頂部を囲繞する下方開口１ｃとを備えるリング状の座台であって、補強材料が配合されたプラスチック材料からなり、比重が１を超えるものであればよく、蓋支持部１ａの形状等適宜変更可能である。
【００２６】
また、上記実施の形態では、雨水貯留浸透槽１０の立ち上がり管１１の上方に座台１を設置した場合を例示したが、雨水貯留浸透槽１０以外の設備や下水管に接続される立ち上がり管等にも座台１を適用できることはもちろんである。
【符号の説明】
【００２７】
１  座台
１ａ  蓋支持部
１ｂ  上方開口
１ｃ  下方開口
１ｄ  外周部
１ｅ  内周部
２  鉄蓋
２ａ  蓋
２ｂ  丸枠
２ｃ  突条
２ｄ  溝
２ｅ  摘み穴
１０  雨水貯留浸透槽
１１  立ち上がり管
【図１】
2018053613.tif 000003
【図２】
2018053613.tif 000004
【図３】
2018053613.tif 000005
【図４】
2018053613.tif 000006
【図５】
2018053613.tif 000007
【図６】
2018053613.tif 000008